(57)【特許請求の範囲】
【請求項１】
入場時に挿入された記録媒体へ入場時刻を記録する記録手段と、
退場時に挿入された記録媒体から入場時刻を読み込む読込手段と、
前記読込手段により読み込まれた入場時刻に基づいて、入場から所定時間以内に退場したと判断された場合、入場料金の一部を前記記録媒体に記録して返金する返金手段と、
入場時に挿入された前記記録媒体に記録されている残高が入場料金以上か否かを判別する判別手段と、
前記判別手段により前記記録媒体に記録されている残高が入場料金以上と判別された場合は、残高と入場料金の差額を前記記録媒体に記録して入場可能とし、一方残高が入場料金より少ないと判別された場合は、不足金額を提示する入場制御手段と
を具備し、
前記記録手段は、入場時に挿入された記録媒体へ映画識別情報を記録し、
前記入場制御手段は、入場時に挿入された記録媒体に記録されている過去の映画識別情報と同一映画識別情報の映画へ入場すると判断された場合、入場料金を割り引く
ことを特徴とする料金清算装置。
【請求項２】
前記記録手段は、さらに、入場時に挿入された記録媒体へ入場日時を記録し、
前記入場制御手段は、入場時に挿入された記録媒体に記録されている過去の入場日時に基づいて、所定期間内に同一映画識別情報の映画へ入場すると判断された場合、入場料金を割り引くことを特徴とする請求項１記載の料金清算装置。
【請求項３】
前記記録媒体は、予め所定金額を支払うことにより購入されたプリペイカードであることを特徴とする請求項１または２に記載の料金清算装置。
【請求項４】
入場券購入時に記録媒体を発行するステップと、
入場時に記録媒体へ入場時刻を記録するステップと、
退場時に、前記記録媒体に記録されている入場時刻に基づいて、入場から所定時間以内に退場したと判断された場合、入場料金の一部を前記記録媒体に記録して返金するステップと、
入場時に挿入された前記記録媒体に記録されている残高が入場料金以上か否かを判別するステップと、
前記記録媒体に記録されている残高が入場料金以上と判別された場合は、残高と入場料金の差額を前記記録媒体に記録して入場可能とし、一方残高が入場料金より少ないと判別された場合は、不足金額を提示するステップと
をコンピュータに実行させ、
前記入場時刻を記録するステップは、入場時に挿入された記録媒体へ映画識別情報を記録し、
前記不足金額を提示するステップは、入場時に挿入された記録媒体に記録されている過去の映画識別情報と同一映画識別情報の映画へ入場すると判断された場合、入場料金を割り引く
ことを特徴とする料金清算プログラム。
【発明の詳細な説明】
【０００１】
【発明の属する技術分野】
本発明は、映画館などにおいて入場時に支払った入場料金を、途中退場などした場合に顧客へ返還する料金清算装置および料金清算プログラムに関する。
【０００２】
【従来の技術】
従来、映画館では、チケットを窓口等で購入して入場するようになっている。通常、１チケットで１回の入場が許され、途中で退場しても料金が返金されることはない。
【０００３】
【発明が解決しようとする課題】
ところで、従来の映画館では、映画がつまらなかった場合などに途中で退場しても、料金は変わらない。また、同一タイトルの映画を何度観ても、その都度、初回と同じ料金を支払う必要があった。このため、顧客には割高感があり、あまり話題になっていない映画などを観ようとは思わない。また、映画館側にとっては集客数を考慮して人気のある映画を上映し、話題のない映画の上映を避ける傾向となる。いずれにしても、映画館への来場数、集客数を上げることが難しいという問題がある。
【０００４】
そこで本発明は、途中退場や、同一タイトルの再鑑賞などに対し、顧客へのサービス向上を図ることができ、映画館への来場数、集客数を上げることができる料金清算装置および料金清算プログラムを提供することを目的とする。
【０００５】
【課題を解決するための手段】
上記目的達成のため、請求項１記載の発明による料金清算装置は、入場時に挿入された記録媒体へ入場時刻を記録する記録手段と、退場時に挿入された記録媒体から入場時刻を読み込む読込手段と、前記読込手段により読み込まれた入場時刻に基づいて、入場から所定時間以内に退場したと判断された場合、入場料金の一部を前記記録媒体に記録して返金する返金手段と、入場時に挿入された前記記録媒体に記録されている残高が入場料金以上か否かを判別する判別手段と、前記判別手段により前記記録媒体に記録されている残高が入場料金以上と判別された場合は、残高と入場料金の差額を前記記録媒体に記録して入場可能とし、一方残高が入場料金より少ないと判別された場合は、不足金額を提示する入場制御手段とを具備し、前記記録手段は、入場時に挿入された記録媒体へ映画識別情報を記録し、前記入場制御手段は、入場時に挿入された記録媒体に記録されている過去の映画識別情報と同一映画識別情報の映画へ入場すると判断された場合、入場料金を割り引くことを特徴とする。
【０００９】
また、好ましい態様として、例えば請求項２記載のように、請求項１記載の料金清算装置において、前記記録手段は、さらに、入場時に挿入された記録媒体へ入場日時を記録し、前記入場制御手段は、入場時に挿入された記録媒体に記録されている過去の入場日時に基づいて、所定期間内に同一映画識別情報の映画へ入場すると判断された場合、入場料金を割り引くようにしてもよい。
【００１０】
また、好ましい態様として、例えば請求項３記載のように、請求項１または２に記載の料金清算装置において、前記記録媒体は、予め所定金額を支払うことにより購入されたプリペイカードであってもよい。
【００１７】
また、上記目的達成のため、請求項４記載の発明による料金清算プログラムは、入場券購入時に記録媒体を発行するステップと、入場時に記録媒体へ入場時刻を記録するステップと、退場時に、前記記録媒体に記録されている入場時刻に基づいて、入場から所定時間以内に退場したと判断された場合、入場料金の一部を前記記録媒体に記録して返金するステップと、入場時に挿入された前記記録媒体に記録されている残高が入場料金以上か否かを判別するステップと、前記記録媒体に記録されている残高が入場料金以上と判別された場合は、残高と入場料金の差額を前記記録媒体に記録して入場可能とし、一方残高が入場料金より少ないと判別された場合は、不足金額を提示するステップとをコンピュータに実行させ、前記入場時刻を記録するステップは、入場時に挿入された記録媒体へ映画識別情報を記録し、前記不足金額を提示するステップは、入場時に挿入された記録媒体に記録されている過去の映画識別情報と同一映画識別情報の映画へ入場すると判断された場合、入場料金を割り引くことを特徴とする。
【００１８】
【発明の実施の形態】
以下、本発明の実施の形態を、図面を参照して説明する。
【００１９】
Ａ．第１実施形態
Ａ−１．第１実施形態の構成
図１は、本発明の実施形態による料金清算装置の構成を示すブロック図である。図において、カードリーダ１は、制御部７による制御の下、カード（磁気カード）１０に記録されている入場時刻、残高を読み込む。カードライタ２は、制御部７による制御の下、カード１０の記録面に入場時刻、残高を書き込む。計時部３は、現在時刻を計時して制御部７へ供給する。入金部４は、入場料などの金銭を受け取り、その入金額を制御部７へ通知する。記憶部５には、現在時刻や制御部７による計算結果などが保持される。表示部６は、投入料金や顧客へのメッセージなどを表示する。
【００２０】
制御部７は、入場時に発行されたばかりのカード１０が挿入された場合（残高が記録されていないカード）には、計時部３から取得した現在時刻（入場時刻）を、カードライタ２によりカード１０へ記録するという処理を行なう。制御部７は、退出時にカード１０が挿入された場合には、カード１０から入場時刻を読み込み、途中退場であるかを判断し、途中退場である場合には、返還料金を計算し、カード１０へ書き込むという処理を行なう。また、制御部７は、入場時にカード１０が挿入された場合（残高が記録されているカード）には、カード１０に記録されている残高を入場料の一部または全部として徴収し、足りない分は、現金により徴収するという処理を行なう。
【００２１】
ここで、図２は、本第１実施形態による料金清算装置において、記憶部およびカードに記憶されるデータ構成を示す概念図である。記憶部５には、図２（ａ）に示すように、カード識別情報に対応付けて、入場時刻、退場時刻および返還料金が記憶される。また、カード１０には、図２（ｂ）に示すように、カード識別情報、入場時刻および返還料金が記憶される。なお、返還料金は、当然、退場に返還されるべき金額がある場合にのみ記録されるものである。
【００２２】
Ａ−２．第１実施形態の動作
次に、上述した第１実施形態による料金清算装置の動作について説明する。まず、顧客がチケットを購入して劇場に入場する際の動作について説明する。ここで、図３は、本第１実施形態による料金清算装置において、入場時の動作を説明するためのフローチャートである。映画館側は、顧客に映画のチケットを販売した際にカード１０を発行して顧客に渡す。なお、チケットは、カード１０で兼用させてもよい。観客は、劇場へ入場する際に、受け取ったカード１０を、料金清算装置のカードリーダ１へ挿入する（ステップＳ１０）。
【００２３】
料金清算装置は、計時部３から供給される現在時刻を入場時刻としてカードライタ２によりカード１０に記録し（ステップＳ１２）、該カード１０を排出する（ステップＳ１４）。顧客は、入場時刻が記録されたカード１０を受け取り、劇場に入場する。
【００２４】
次に、顧客が途中退場した場合について説明する。ここで、図４は、本第１実施形態による料金清算装置において、退出時の動作を説明するためのフローチャートである。例えば映画がつまらなかったなどの理由により、劇場から途中退場する場合、顧客は、料金清算装置に上記カード１０を挿入する（ステップＳ２０）。料金清算装置は、カード１０から入場時刻を読み取り、現在時刻と比較し、１時間以内の退出であるか否かを判断する（ステップＳ２２）。そして、１時間以内でなければ、料金を返還することなく、カード１０を回収する（ステップＳ２４）。このとき、料金が返還できない旨、入場時刻、退場時刻などを顧客に分かるように表示部６に表示してもよい。
【００２５】
一方、１時間以内であれば、映画を観ていた時間に応じて、返還料金を計算し（ステップＳ２６）、該返還料金をカードライタ２によりカード１０に記録し（ステップＳ２８）、該カード１０を排出する（ステップＳ３０）。顧客は、カード１０を受け取る。該カード１０に記録されている返還料金は、次回の入場料金の一部または全部に割り当てることができる。
【００２６】
次に、顧客の再入場時の動作について説明する。ここで、図５は、本第１実施形態による料金清算装置において、再入場時の動作を説明するためのフローチャートである。顧客は、映画館に来ると、まず、チケットを購入するために、カード１０を料金清算装置へ挿入する（ステップＳ４０）。
【００２７】
料金清算装置は、カード１０から情報（残高）を読み取り（ステップＳ４２）、カード１０に記録された残高を今回の入場料に割り当てるために、入場料−残高なる計算を行なう（ステップＳ４４）。そして、上記計算結果、すなわち差額を表示する（ステップＳ４６）。なお、差額が「０」であれば、当然、全額が料金として表示される。
【００２８】
次に、料金清算装置は、上記料金が入金部４に投入されたか否かを判断する（ステップＳ４８）。そして、投入されない場合には、キャンセルされたか否かを判断する（ステップＳ５０）。ここで、キャンセルされなければ、料金が投入されるまで待機する。一方、キャンセルされた場合には、カード１０をそのまま排出する（ステップＳ５６）。顧客は、カード１０を受け取る。この場合、当然、チケットは発行されない。
【００２９】
一方、料金が投入されると、チケットを発行し（ステップＳ５２）、カード１０に入場時刻を記録し（ステップＳ５４）、カード１０を排出する（ステップＳ５６）。顧客は、チケットとカード１０を受け取って入場する。
【００３０】
上述した第１実施形態では、入場時にカード１０に入場時刻を記録しておき、該入場時刻に基づいて途中退場したことが確認された場合には、その分、料金を返還することで、顧客は、あまり話題になっていない映画などを試しに観ることが気軽にできるという利点が得られる。また、映画館側も、本来あまり人気のない映画でも顧客が増えるという利点が得られる。また、上記返還金額は、次回のチケット購入に用いることができるので、顧客が再来場する可能性が高くなり、売上増加につながるという利点が得られる。
【００３１】
Ｂ．第２実施形態
次に、本発明の第２実施形態について説明する。第２実施形態では、上述したカードをプリペイカード（以下、単にカード１０という）として発行することを特徴としている。なお、料金清算装置自体の構成、機能は、前述した第１実施形態と同様であるので説明を省略する。
【００３２】
Ｂ−１．第２実施形態の動作
次に、上述した第２実施形態による料金清算装置の動作について説明する。まず、顧客がカードを購入する際の動作について説明する。ここで、図６は、本第２実施形態による料金清算装置において、カード発行時の動作を説明するためのフローチャートである。顧客がカード１０の料金（例えば４０００円とか、５０００円）を入金部に投入すると（ステップＳ６０）、残高が記録されたカード１０を発行し（ステップＳ６２）、排出する（ステップＳ６４）。観客は、カード１０を受け取る。
【００３３】
次に、顧客がチケットを購入して劇場に入場する際の動作について説明する。ここで、図７は、本第２実施形態による料金清算装置において、入場時の動作を説明するためのフローチャートである。観客は、劇場へ入場する際に、受け取ったカード１０を、料金清算装置のカードリーダ１へ挿入する（ステップＳ７０）。料金清算装置は、カード１０から残高を読み取り（ステップＳ７２）、料金以上の残高があるか否かを判断する（ステップＳ７４）。
【００３４】
残高が料金以上あるときは、残高−料金なる計算を行なう（ステップＳ７６）。そして、上記計算結果、すなわち新たな残高をカード１０に記録する（ステップＳ７８）。次に、カード１０に入場時刻を記録し（ステップＳ８０）、カード１０を排出する（ステップＳ８２）。その後、チケットを発行する（ステップＳ８４）。顧客は、チケットとカード１０を受け取って入場する。
【００３５】
一方、カード１０の残高が足りない場合には、不足金を表示する（ステップＳ８６）。次に、料金清算装置は、上記料金が入金部に投入されたか否かを判断する（ステップＳ８８）。そして、投入されない場合には、キャンセルされたか否かを判断する（ステップＳ９０）。ここで、キャンセルされなければ、料金が投入されるまで待機する。一方、キャンセルされた場合には、カード１０をそのまま排出する（ステップＳ９２）。顧客は、カード１０を受け取る。この場合、当然、チケットは発行されない。
【００３６】
一方、料金が投入されると、前述したように、入場時刻および残高が記録されたカード１０を排出するとともに、チケットを発行する（ステップＳ７８〜Ｓ８４）。顧客は、チケットとカード１０を受け取って入場する。
【００３７】
次に、顧客が途中退場した場合について説明する。ここで、図８は、本第２実施形態による料金清算装置において、退出時の動作を説明するためのフローチャートである。例えば映画がつまらなかったなどの理由により、劇場から途中退場する場合、顧客は、料金清算装置に上記カード１０を挿入する（ステップＳ１００）。料金清算装置は、カード１０から入場時刻を読み取り、現在時刻と比較し、１時間以内の退出であるか否かを判断する（ステップＳ１０２）。そして、１時間以内でなければ、料金を返還することなく、カード１０をそのまま排出する（ステップＳ１０８）。このとき、料金が返還できない旨、入場時刻、退場時刻などを顧客に分かるように表示するようにしてもよい。
【００３８】
一方、１時間以内であれば、映画を観ていた時間に応じて、返還料金を計算し（ステップＳ１０４）、該返還料金をカードライタ２によりカード１０に記録する（ステップＳ１０６）。この場合、カード１０には、残高＋返還料金が新たな残高として記録されることになる。そして、該カード１０を排出する（ステップＳ１０８）。顧客は、カード１０を受け取る。該カード１０に記録されている残高は、次回の入場料金の一部または全部に割り当てることができる。
【００３９】
上述した第２実施形態では、前述した第１実施形態と同様に、途中退場した場合に料金の一部が返還されるので、顧客は、あまり話題になっていない映画などを試しに観ることが気軽にできるという利点が得られる。また、映画館側も、本来あまり人気のない映画でも顧客が増えるという利点が得られる。また、上記返還金額は、次回のチケット購入に用いることができるので、顧客が再来場する可能性が高くなり、売上増加につながるという利点が得られる。また、カードにプリペイカードを用いることで、映画館側は、確実に入場料を徴収することができる。
【００４０】
Ｃ．他の実施形態
次に、本発明の他の実施形態について説明する。ここで、図９は、他の実施形態によるカード１０に記録されるデータ構成を示す概念図である。また、図１０は、他の実施形態の動作を説明するためのフローチャートである。本他の実施形態では、図９に示すように、カード１０の発行時に、入場時刻に加えて、映画鑑賞履歴として、カード識別情報、チケット購入日時、映画タイトルを記録し、次回、同一のタイトルの映画を観に来た場合には、料金の割引サービスを受けることができるようにする。
【００４１】
次に、他の実施形態の動作について詳細に説明する。顧客は、次回、チケット購入時に該カード１０を提示（料金清算装置に挿入）する（ステップＳ１１０）。料金清算装置は、挿入されたカード１０からチケット購入日時を読み込み（ステップＳ１１２）、有効であるか否かを判断する（ステップＳ１１４）。例えば、チケット購入日時から１ヶ月以上経過している場合には、割引サービスを無効とし、通常料金を徴収し（ステップＳ１２４）、カード１０を排出する（ステップＳ１２２）。
【００４２】
一方、チケット購入日時から本カード１０が有効であると判断された場合には、カード１０から映画タイトルを読み込み（ステップＳ１１６）、今回、同一タイトルのチケット購入であるか否かを判断する（ステップＳ１１８）。ここで、前回と異なるタイトルの映画チケットの購入である場合には、割引サービスを無効とし、通常料金を徴収し（ステップＳ１２４）、カード１０を排出する（ステップＳ１２２）。一方、同一のタイトルのチケット購入で有る場合には、割引サービスによる料金徴収を行ない（ステップＳ１２０）、カード１０を排出する（ステップＳ１２２）。
【００４３】
なお、上述した説明では、省略したが、料金の徴収は、カード１０に記録された返還料金（プリペイカードのときは残高）より、料金の全部または一部を徴収するものである。また、カード１０の他者へ渡り利用されるのを防止する必要がある場合には、クレジットカード等のように暗証番号を設定するなどし、当人のみが使用できるようにしてもよい。
【００４４】
【発明の効果】
本発明によれば、顧客へのサービス向上を図ることができ、映画館への来場数、集客数を上げることができるという利点が得られる。
【図面の簡単な説明】
【図１】本発明の実施形態による料金清算装置の構成を示すブロック図である。
【図２】本第１実施形態による料金清算装置において、記憶部およびカードに記憶されるデータ構成を示す概念図である。
【図３】本第１実施形態による料金清算装置において、入場時の動作を説明するためのフローチャートである。
【図４】本第１実施形態による料金清算装置において、退出時の動作を説明するためのフローチャートである。
【図５】本第１実施形態による料金清算装置において、再入場時の動作を説明するためのフローチャートである。
【図６】本発明の第２実施形態による料金清算装置において、カード発行時の動作を説明するためのフローチャートである。
【図７】本第２実施形態による料金清算装置において、入場時の動作を説明するためのフローチャートである。
【図８】本第２実施形態による料金清算装置において、退出時の動作を説明するためのフローチャートである。
【図９】他の実施形態による料金清算装置において、カードに記憶されるデータ構成を示す概念図である。
【図１０】他の実施形態による料金清算装置において、入場時の動作を説明するためのフローチャートである。
【符号の説明】
１  カードリーダ（読込手段）
２  カードライタ（記録手段）
３  計時部
４  入金部
５  記憶部
６  表示部
７  制御部（記録手段、読込手段、返金手段、入場料金演算手段）
１０  カード
【図１】
0004839544.tif 000002
【図２】
0004839544.tif 000003
【図３】
0004839544.tif 000004
【図４】
0004839544.tif 000005
【図５】
0004839544.tif 000006
【図６】
0004839544.tif 000007
【図７】
0004839544.tif 000008
【図８】
0004839544.tif 000009
【図９】
0004839544.tif 000010
【図１０】
0004839544.tif 000011